【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
撮像レンズからの光束により形成された被写体像を光電変換する撮像素子と、
少なくとも一部の領域がハーフミラーで構成されるミラーユニットと、
前記ミラーユニットにより、前記光束の一部を前記撮像素子に透過すると共に、残りの光束を所定のユニットに反射する第一の状態と、前記ミラーユニットで反射、透過することなく前記光束の全てを前記撮像素子に導く第二の状態と、に前記ミラーユニットを切替える駆動手段と、
動画撮影の開始を指示する動画撮影開始手段と、
静止画撮影の開始を指示する静止画撮影開始手段と、
前記動画撮影開始手段にて動画撮影の開始が指示される場合には、前記駆動手段により前記ミラーユニットを前記第一の状態に駆動し、動画撮影を行っているときに、前記静止画撮影開始ユニットによって静止画撮影の開始指示があった場合には前記第一の状態のまま静止画撮影を行い、前記動画撮影を行っていないときに、静止画撮影開始手段によって静止画撮影の開始指示があった場合には前記駆動手段により前記ミラーユニットを前記第一の状態から前記第二の状態に駆動した後に静止画撮影を行う制御手段とを有することを特徴とする撮像装置。
【請求項２】
撮像レンズからの光束により形成された被写体像を光電変換する撮像素子と、
少なくとも一部の領域がハーフミラーで構成されるミラーユニットと、
前記ミラーユニットにより、前記光束の一部を前記撮像素子に透過すると共に、残りの光束を所定のユニットに反射する第一の状態と、前記ミラーユニットで反射、透過することなく前記光束の全てを前記撮像素子に導く第二の状態と、に前記ミラーユニットを切替える駆動手段と、
動画を撮影する動画撮影モードまたは静止画を撮影する静止画撮影モードを設定する撮影モード設定手段と、
前記撮影モード設定手段によって前記動画撮影モードが設定されているときに、動画撮影の開始を指示する動画撮影開始と、
前記撮影モード設定手段によって設定される撮影モードに関わらず、静止画撮影の開始を指示する静止画撮影開始手段と、
前記撮影モード設定手段によって前記動画撮影モードが設定される場合には、前記駆動手段により前記ミラーユニットを前記第一の状態に駆動し、前記動画撮影モードが設定されているときに、前記静止画撮影開始手段によって静止画撮影の開始指示があった場合には前記第一の状態のまま静止画撮影を行い、前記撮影モード設定手段によって前記静止画撮影モードが設定されているときに、静止画撮影開始手段によって静止画撮影の開始指示があった場合には前記駆動手段により前記ミラーユニットを前記第一の状態から前記第二の状態に駆動した後に静止画撮影を行う制御手段とを有することを特徴とする撮像装置。
【請求項３】
前記所定のユニットは、ＡＦユニットであることを特徴とする請求項１または２に記載の撮像装置。
【請求項４】
前記所定のユニットは、ＡＥユニットであることを特徴とする請求項１または２に記載の撮像装置。
【請求項５】
前記所定のユニットは、光学ファインダーであることを特徴とする請求項１または２に記載の撮像装置。
【請求項６】
撮像レンズからの光束により形成された被写体像を光電変換する撮像素子と、
少なくとも一部の領域がハーフミラーであるメインミラーユニットと、
全反射のミラーからなるサブミラーユニットと、
前記被写体像を観察するための光学ファインダーと、
前記撮影レンズの結像状態を位相差方式により検出するためのＡＦユニットと、
前記光束から前記サブミラーユニットを退避させ、前記光束の一部を前記メインミラーユニットにて前記ＡＦユニットに反射し、透過した残りの光束を前記撮像素子に導く第一の状態と、
前記メインミラーユニット及び前記サブミラーユニットで反射、透過させることなく、前記光束の全てを前記撮像素子に導く第二の状態と、前記光束の一部を前記メインミラーユニットにて前記光学ファインダーに反射し、透過した残りの光束は前記サブミラーユニットにて反射して前記ＡＦユニットに導く第三の状態と、の間を相互に前記メインミラーユニット及び前記サブミラーユニットを切替える駆動手段と、
前記第一の状態で行われる前記撮像素子上の被写体信号を、表示手段に電子画像表示する電子ファインダーと、
動画を撮影する動画撮影モードまたは静止画を撮影する静止画撮影モードを設定する撮影モード設定手段と、
前記撮影モード設定手段によって前記動画撮影モードが設定されているときに、動画撮影の開始を指示する動画撮影開始と、
前記撮影モード設定手段によって設定される撮影モードに関わらず、静止画撮影の開始を指示する静止画撮影開始手段と、
前記撮影モード設定手段によって前記動画撮影モードが設定される場合には、前記駆動手段により前記ミラーユニットを前記第一の状態に駆動し、前記動画撮影モードが設定されているときに、前記静止画撮影開始手段によって静止画撮影の開始指示があった場合には前記第一の状態のまま静止画撮影を行い、前記撮影モード設定手段によって前記静止画撮影モードが設定されているときに、静止画撮影開始手段によって静止画撮影の開始指示があった場合には前記駆動手段により前記ミラーユニットを前記第一の状態から前記第二の状態に駆動した後に静止画撮影を行う制御手段とを有することを特徴とする撮像装置。
【請求項７】
前記撮像装置は更に、前記撮影モード設定手段によって前記静止画撮影モードが設定され、前記メインミラーユニット及び前記サブミラーユニットが前記第一の状態にあるときに、前記電子ファインダーを実行する表示制御手段を有することを特徴とする請求項６に記載の撮像装置。
【請求項８】
前記撮像装置は更に、前記第一の状態で静止画撮影する場合と前記第二の状態で静止画撮影する場合とで、前記ＡＦユニットによって検出される焦点評価値を補正する焦点補正手段を有することを特徴とする請求項３、６または７に記載の撮像装置。
【請求項９】
前記撮像装置は更にバッテリー残量検出手段を有し、前記ミラーユニットが前記第一の状態にあるとき、前記バッテリー残量検出手段により検出したバッテリー残量が所定値以下と判断された場合は、前記駆動手段により前記ミラーユニットを駆動することなく静止画撮影を行うことを特徴とする、請求項１ないし８のいずれか１項に記載の撮像装置。
【請求項１０】
前記撮像装置は更にストロボを有し、動画撮影中に前記第一の状態のまま静止画を撮影する場合、ストロボ発光を許可しない発光制御手段を有することを特徴とする請求項１ないし９のいずれか１項に記載の撮像装置。
【請求項１１】
前記撮影モード設定手段によって前記動画撮影モードが設定されているときに、前記撮影モード設定手段は撮影する静止画の画質を優先する静止画優先モードと、撮影中の動画の連続性を優先する動画優先モードが設定可能であって、前記静止画優先モード設定時には前記駆動手段により前記ミラーユニットを前記第一の状態から前記第二の状態に駆動した後に静止画撮影を行うことを特徴とする、請求項１ないし１０のいずれか１項に記載の撮像装置。
【手続補正２】
【補正対象書類名】明細書
【補正対象項目名】００１０
【補正方法】変更
【補正の内容】
【００１０】
上記課題を解決するために、本発明の撮像装置は、撮像レンズからの光束により形成された被写体像を光電変換する撮像素子と、少なくとも一部の領域がハーフミラーで構成されるミラーユニットと、前記ミラーユニットにより、前記光束の一部を前記撮像素子に透過すると共に、残りの光束を所定のユニットに反射する第一の状態と、前記ミラーユニットで反射、透過することなく前記光束の全てを前記撮像素子に導く第二の状態と、に前記ミラーユニットを切替える駆動手段と、動画撮影の開始を指示する動画撮影開始手段と、静止画撮影の開始を指示する静止画撮影開始手段と、前記動画撮影開始手段にて動画撮影の開始が指示される場合には、前記駆動手段により前記ミラーユニットを前記第一の状態に駆動し、動画撮影を行っているときに、前記静止画撮影開始ユニットによって静止画撮影の開始指示があった場合には前記第一の状態のまま静止画撮影を行い、前記動画撮影を行っていないときに、静止画撮影開始手段によって静止画撮影の開始指示があった場合には前記駆動手段により前記ミラーユニットを前記第一の状態から前記第二の状態に駆動した後に静止画撮影を行う制御手段とを有することを特徴とする。
【手続補正３】
【補正対象書類名】明細書
【補正対象項目名】００１１
【補正方法】変更
【補正の内容】
【００１１】
また、本発明の撮像装置は、撮像レンズからの光束により形成された被写体像を光電変換する撮像素子と、少なくとも一部の領域がハーフミラーで構成されるミラーユニットと、前記ミラーユニットにより、前記光束の一部を前記撮像素子に透過すると共に、残りの光束を所定のユニットに反射する第一の状態と、前記ミラーユニットで反射、透過することなく前記光束の全てを前記撮像素子に導く第二の状態と、に前記ミラーユニットを切替える駆動手段と、動画を撮影する動画撮影モードまたは静止画を撮影する静止画撮影モードを設定する撮影モード設定手段と、前記撮影モード設定手段によって前記動画撮影モードが設定されているときに、動画撮影の開始を指示する動画撮影開始と、前記撮影モード設定手段によって設定される撮影モードに関わらず、静止画撮影の開始を指示する静止画撮影開始手段と、前記撮影モード設定手段によって前記動画撮影モードが設定される場合には、前記駆動手段により前記ミラーユニットを前記第一の状態に駆動し、前記動画撮影モードが設定されているときに、前記静止画撮影開始手段によって静止画撮影の開始指示があった場合には前記第一の状態のまま静止画撮影を行い、前記撮影モード設定手段によって前記静止画撮影モードが設定されているときに、静止画撮影開始手段によって静止画撮影の開始指示があった場合には前記駆動手段により前記ミラーユニットを前記第一の状態から前記第二の状態に駆動した後に静止画撮影を行う制御手段とを有することを特徴とする。
【手続補正４】
【補正対象書類名】明細書
【補正対象項目名】００１２
【補正方法】変更
【補正の内容】
【００１２】
また、本発明の撮像装置は、撮像レンズからの光束により形成された被写体像を光電変換する撮像素子と、少なくとも一部の領域がハーフミラーであるメインミラーユニットと、全反射のミラーからなるサブミラーユニットと、前記被写体像を観察するための光学ファインダーと、前記撮影レンズの結像状態を位相差方式により検出するためのＡＦユニットと、前記光束から前記サブミラーユニットを退避させ、前記光束の一部を前記メインミラーユニットにて前記ＡＦユニットに反射し、透過した残りの光束を前記撮像素子に導く第一の状態と、前記メインミラーユニット及び前記サブミラーユニットで反射、透過させることなく、前記光束の全てを前記撮像素子に導く第二の状態と、前記光束の一部を前記メインミラーユニットにて前記光学ファインダーに反射し、透過した残りの光束は前記サブミラーユニットにて反射して前記ＡＦユニットに導く第三の状態と、の間を相互に前記メインミラーユニット及び前記サブミラーユニットを切替える駆動手段と、前記第一の状態で行われる前記撮像素子上の被写体信号を、表示手段に電子画像表示する電子ファインダーと、動画を撮影する動画撮影モードまたは静止画を撮影する静止画撮影モードを設定する撮影モード設定手段と、前記撮影モード設定手段によって前記動画撮影モードが設定されているときに、動画撮影の開始を指示する動画撮影開始と、前記撮影モード設定手段によって設定される撮影モードに関わらず、静止画撮影の開始を指示する静止画撮影開始手段と、前記撮影モード設定手段によって前記動画撮影モードが設定される場合には、前記駆動手段により前記ミラーユニットを前記第一の状態に駆動し、前記動画撮影モードが設定されているときに、前記静止画撮影開始手段によって静止画撮影の開始指示があった場合には前記第一の状態のまま静止画撮影を行い、前記撮影モード設定手段によって前記静止画撮影モードが設定されているときに、静止画撮影開始手段によって静止画撮影の開始指示があった場合には前記駆動手段により前記ミラーユニットを前記第一の状態から前記第二の状態に駆動した後に静止画撮影を行う制御手段とを有することを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】